(57)【要約】【課題】ホームセキュリティシステムに効率良くホームコントロールシステムの機能を取り入れることにより、合理的なシステムを構築して、システムの使用効率を向上させるとともに、安心かつ快適な住居を提供する。【解決手段】人感センサその他の監視用センサ１０７ａから入力される信号に基づいてコントローラ１０６が所定のセキュリティ動作を行うホームセキュリティシステムにおいて、コントローラ１０６に照明機器、空調機器等の建物内設置機器１０７ｂを接続して、コントローラ１０６の少なくとも一部が建物内設置機器１０７ｂに対してホームコントロールシステムのコントローラとしての所定の機器制御動作を行うように構成するとともに、コントローラ１０６にセキュリティ動作モード及び機器制御動作モードを設定して、モード切替部１００ｘにおいてこれらコントローラ１０６のモードを切り替え得るように構成した。【選択図】図１ 
2005258713.tif 000002
【特許請求の範囲】
【請求項１】
人感センサその他の監視用センサから入力される信号に基づいてコントローラが所定のセキュリティ動作を行うホームセキュリティシステムにおいて、前記コントローラに照明機器、空調機器等の建物内設置機器を接続して、前記コントローラの少なくとも一部が前記建物内設置機器に対してホームコントロールシステムのコントローラとしての所定の機器制御動作を行うように構成するとともに、前記コントローラにセキュリティ動作モード及び機器制御動作モードを設定して、モード切替部においてこれらコントローラのモードを切り替え得るように構成したことを特徴とするホームセキュリティシステム。
【請求項２】
監視用センサから入力されるセンサ信号に基づいて前記コントローラが所定の機器制御動作を行うように構成されている請求項１記載のホームセキュリティシステム。
【請求項３】
監視用センサに加えて機器制御用センサを備え、この機器制御用センサから入力されるセンサ信号に基づいて前記コントローラが所定のセキュリティ動作を行うように構成している請求項１又は２記載のホームセキュリティシステム。
【請求項４】
モード切替部を、建物外から電機通信回線を介して操作できるようにしている請求項１〜３記載のホームセキュリティシステム。
【発明の詳細な説明】
【技術分野】
【０００１】
本発明は、防犯目的のホームセキュリティシステムの構成を建物内設置機器に対する制御を行うホームコントロールシステムとしても利用できるようにしたホームセキュリティシステムに関するものである。
【背景技術】
【０００２】
ホームセキュリティシステムは、侵入者を検知するためにドアセンサ、パッシブセンサ或いは室内センサ等を設置し、侵入者を検知したときにセンサが外部の警備会社等に報知するシステム構成を採用しているのが通例である（特許文献１）。
【０００３】
一方、ホームコントロールシステムとしては、例えばトイレ等の限られた場所に人感センサ等を設置して照明や換気扇を作動させる独立型のシステム構成や、センサ、ホームゲートウェイを設置しＩＴ技術を駆使してエアコンや照明等を制御する集中制御型のシステム構成などが考えられている（特許文献２）。
【特許文献１】特開２００１−３３８３７２
【特許文献２】特開２００２−１５２８５９
【発明の開示】
【発明が解決しようとする課題】
【０００４】
しかしながら、ホームセキュリティシステムは、侵入者を検知するために設けたドアセンサ、パッシブセンサ或いは室内センサ等を、外出時等の侵入警戒モードのときにのみ作動させるものであるため、センサ使用効率が低いという問題があった。
【０００５】
一方、ホームコントロールシステムは、独立型のシステムにあっては比較的狭い空間しか使えない非効率さがあり、また集中制御型のシステムにあってはセンサやゲートウェイの設置や配線等にコストがかかるという問題があった。
【０００６】
本発明は、このように別々のシステムとして捉えられ、システムコストの増大を招いているホームセキュリティシステム及びホームコントロールシステムの実情に鑑み、ホームセキュリティシステムのセンサは主に外出時に使用するのに対し、ホームコントロールシステムのセンサは在宅時に使用することに着目し、両者のセンサ及びコントローラを極力共用することにより合理的なシステムを構築して、システムの使用効率を向上させるとともに、安心かつ快適な住居を提供するシステムとすることを目的としている。
【課題を解決するための手段】
【０００７】
本発明は、かかる目的を達成するために、次のような手段を講じたものである。
【０００８】
すなわち、本発明のホームセキュリティシステムは、人感センサその他の監視用センサから入力される信号に基づいてコントローラが所定のセキュリティ動作を行うホームセキュリティシステムにおいて、前記コントローラに照明機器、空調機器等の建物内設置機器を接続して、前記コントローラの少なくとも一部が前記建物内設置機器に対してホームコントロールシステムのコントローラとしての所定の機器制御動作を行うように構成するとともに、前記コントローラにセキュリティ動作モード及び機器制御動作モードを設定して、モード切替部においてこれらコントローラのモードを切り替え得るように構成したことを特徴とする。
【０００９】
所定のセキュリティ動作とは、警備会社や居住者への通報、侵入者への威嚇等の動作を意味する。
【００１０】
ホームセキュリティシステムとは、外出時に防犯のために侵入者を検知することを主たる目的とするシステムをいう。建物内とは、狭義には家屋内を意味するが、広義には敷地内という程度の意味に解される。ホームコントロールシステムとは、在宅時や特に就寝時等にエアコンや照明その他の建物内設置機器を所定のアルゴリズムに従って制御することを主たる目的とするシステムをいう。所定の機器制御動作とは、エアコンや照明その他の建物内設置機器のスイッチのオンオフ状態、パワー状態等を制御する動作を意味する。コントローラのモードを切り替えるとは、コントローラが各モードに対応したアルゴリズムを実行できる状態に切り替えられることを意味する。
【００１１】
このように構成すれば、ホームセキュリティ本来のシステムに必要最小限の要素部品を追加するだけでホームコントロールシステムとしての機能も持ち併せるものとなり、コントローラやセンサ、各種配線その他のハードリソースの一部を共用することにより高い効率で稼動させて、トータルのシステムコストパフォーマンスを有効に向上させることが可能となる。
【００１２】
具体的構成として、監視用センサから入力されるセンサ信号に基づいて前記コントローラが所定の機器制御動作を行うようにすれば、居住者の動線上の動きを捉えて建物内設置機器をより的確に制御し、或いは予測制御等にも有効利用できる新たな効果等が奏される。
【００１３】
或いは、監視用センサに加えて機器制御用センサを備え、この機器制御用センサから入力されるセンサ信号に基づいて前記コントローラが所定のセキュリティ動作を行うように構成すれば、監視ポイントが増えてセキュリティ機能を無駄なく有効に高めることができる新たな効果等が奏される。
【００１４】
モード切替部を、建物外から電機通信回線を介して操作できるようにしておけば、帰宅前にセキュリティモードから制御モードに切り替えて室内の温度を上げ、或いは照明をオンにするなど、より快適な生活を送るための状況を容易に実現できる効果等が奏される。
【発明の効果】
【００１５】
以上のようにして本発明は、ホームセキュリティシステムに必要最小限の構成を付加するだけで建物内設置機器に対する制御を行うホームコントロールユニットとしての機能を併設することができ、これにより両システムを融合させて、快適で安心な居住空間を高いコストパフォーマンスで実現することができる。
【発明を実施するための最良の形態】
【００１６】
以下、本発明の一実施形態を、図面を参照して説明する。
【００１７】
図１はこの実施形態に係るホームセキュリティシステムの機能ブロック図である。
【００１８】
同システムは、ホームセキュリティシステムとしての基本構成を備えながら、ホームコントロールシステムとしても機能するように、コントローラ１０６がセキュリティ動作モード又は機器制御モードの何れでも動作し得るように構成されている。
【００１９】
コントローラ１０６は、図３に示すように、ＣＰＵ１１、記憶部１０３及びインターフェース１２を少なくとも備えたコンピュータシステム１を主体とする。記憶部１０３は、ＲＡＭ、ＲＯＭなどの内部記憶装置、ＦＬＡＳＨメモリなどの外部記憶装置その他のストレージにより構成されていて、少なくともコントローラ１０６がセキュリティ動作又は機器制御動作を行うために必要なプログラム（モード管理プログラムＰ０、外出モードプログラムＰ１、在宅モードプログラムＰ２及び就寝モードプログラムＰ３）並びに各種データＤ（Ｄ１、Ｄ２、Ｄ３…）を少なくとも備えている。Ｐ１はセキュリティ動作モードに属するプログラムであり、Ｐ２は機器制御動作モードに属するプログラムである。Ｐ３はセキュリティ動作モード及び機器制御動作モードに属するプログラムである。また、インターフェース１２には、各種センサ１０７として、図１に示すように監視用センサ１０７ａに属するドアセンサＡ１やパッシブセンサＡ２などが、また機器制御用センサ１０７ｂに属する人感センサ（部屋用Ｂ１、トイレ用Ｂ１…）などが、更に制御対象である建物内設置機器１０８（エアコン１０８ａ、照明１０８ｂ、給湯器１０８ｃ…）がそれぞれ通信路１１０、１１１（有線若しくは無線）を介して接続されているとともに、モード切替を行うために建物内に設置したモード設定手段１００が通信路１０９を介して接続されている。なお、前記人感センサＢ１は、監視用センサ１０７ａとしても使用でき、その他、明確に分類できないセンサがある場合もある。各センサ１０７や建物内設置機器１０８にはディップスイッチやＥＥＰＲＯＭなどを利用してアドレスが付与してあり、ＣＰＵ１１はアドレスを通じて通信相手を認識し或いは通信相手を特定して、これらセンサ１０７や建物内設置機器１０８との間でセンサ信号の授受や制御信号の授受等を行なうことが可能である。モード設定手段１００は、タッチパネルや切替スイッチなどを備えた情報端末からなり、少なくともコントローラ１０６を何れのモードで動作させるかを選択できる機能を備える。このモード設定手段１００は、モード切替操作に応じてコントローラにモード設定信号を出力する。
【００２０】
ＣＰＵ１１は、記憶部１２に格納されているプログラムＰ１〜Ｐ３やデータＤ１〜Ｄ３等を適宜読み込んで、周辺ハードリソースとの間で必要な送受信を行いながらデータの演算・加工等の必要な処理を施し、これらが協働して、図１に示すモード切替部１００ｘ、セキュリティ制御部１０１、機器制御部１０２、記憶部１０３及び通信手段１０４としての役割を果たす。また、このコントローラ１０６にはＣＰＵ１１によって制御される表示部１０５が付帯している。
【００２１】
モード切替部１００ｘは、ＣＰＵ１１にモード管理プログラムＰ０を常駐させ、前述したモード設定手段１００からモード設定信号が入力されると、モードに応じたプログラムＰ１〜３やデータＤ１〜Ｄ３を割り込みによりロード或いはリロードして、システムの制御主体をセキュリティ制御部１０１又は機器制御部１０２に選択的に切り替える。また、表示部１０５に対して表示のための必要な出力をなす。
【００２２】
セキュリティ制御部１０１は、記憶部１０３に格納されている外出モードプログラムＰ１又はＰ３、及びこれに関連する設定データＤ１、Ｄ３をＣＰＵ１１が適宜読み込むことによって作動し、監視用センサ１０７ａや機器制御用センサ１０７ｂから入力される信号に基づき所定の判断を行って、通信手段１０４や表示部１０５に対して警報出力をなし、或いは建物内設置機器１０８に対して制御信号を出力する。
【００２３】
機器制御部１０２は、記憶部１０３に格納されている在宅モードプログラムＰ２又は就寝モードプログラムＰ３及びこれらに関連する設定データＤ２、Ｄ３をＣＰＵ１１が適宜読み込むことによって作動し、機器制御用センサ１０７ｂや監視用センサ１０７ａから入力される信号に基づいて、制御対象や制御量を判断し、建物内設置機器１０８に制御信号を出力し、また表示部１０５に必要な出力をなす。
【００２４】
通信手段１０４は、図２に示すように外部の電気通信回線２０１に接続されており、セキュリティ制御部１０１から前述した警報出力があったときに、予め設定された外部の警備会社等に属する警備システム端末２０３や居住者の使用する通信端末２０２のアドレスを指定して警報電文の出力等を行う。また、居住者の使用する通信端末２０２からこのシステムに機器制御命令を伴うアクセスがあった場合には、通信手段１０４はこれを受信して、前記モード切替部１００ｘ等に処理を引き渡す。通信端末２０２には、携帯電話やモバイル、ＰＣ等が含まれる。
【００２５】
表示部１０５は、液晶その他の構成からなる表示画面を備えているもので、前記モード切替部１００ｘ、セキュリティ制御部１０１、機器制御部１０２等からの出力を受信すると、現在のシステムが何れの動作モードで稼動しているかを表示し、建物内設置機器１０８の動作状況（例えばエアコン１０８ａが作動中であるとか、照明１０８ｂがオンになっているなど）を当該機器１０８を特定して表示し、或いは何れの監視用センサ１０７ａ（Ａ１、Ａ２、…）が作動したかを表示する等の役割を果たす。
【００２６】
以下、各プログラムにより実行される処理の概要を、図４〜図７に示す簡単なフローチャートに沿って説明する。
【００２７】
＜モード管理＞
【００２８】
図４に示すモード管理プログラムＰ０は、システムの電源導入により常駐して外部のモード設定手段１００からモード設定信号が入力されたか否かを待ち受ける（ステップＳ１１）。なお、デフォルトのモードは在宅モードである。そして、何れかのモードに係るモード設定信号を受信した場合には、記憶部１０３から対応するモードプログラム（Ｐ１〜Ｐ３）やデータ（Ｄ１〜Ｄ３）をロード若しくはリロードし、起動させる（ステップＳ２）。
【００２９】
＜外出モード＞
【００３０】
図５に示す外出モードプログラムＰ１が起動すると、センサ信号が受信されたか否かを待ち受ける（ステップＳ２１）。この場合、監視用センサ１０７ａのみならず、機器制御用センサ１０７ｂも受信対象となる。そして、センサ信号の受信を確認すると、警報出力をなす（ステップＳ２２）。この場合、誤報を防ぐ目的で、同じセンサからの検出信号が所定回数受信されるか、複数のセンサから検出信号が所定のパターンで入力されることをもって侵入と判定し警報出力をなすための判断ステップＳ２３を設けることが有効である。警報出力はリセット動作されるまで継続する。
【００３１】
また、外出モードプログラムＰ１が起動した際、設定条件を読み込み（ステップＳ２４）、予め設定した特定の建物内設置機器１０８の作動状況を確認して（ステップＳ２５）、作動中である建物内設置機器１０８の作動を停止させる制御信号を出力する（ステップＳ２６）。上記の設定とは、建物内設置機器１０８のうち玄関の照明１０８ｂ以外の電源をオフにする等の設定である。作動状況の確認のために、ポーリング等によって各機器から作動状況を収集してもよく、或いは定期、不定期に建物内設置機器１０８側から作動状況を送出するように構成してもよい。また、ステップＳ２５を実施せずに、ステップＳ２６で一方的に制御信号を出力しても構わない。
【００３２】
＜在宅モード＞
【００３３】
図６に示す在宅モードプログラムＰ２が起動すると、設定条件を読み込み（ステップ３１）、上記と同様にして収集した作動状況や機器制御用センサ１０７ｂ等からのセンサ信号に基づいてエアコン１０８ａや照明１０８ｂ等の建物内設置機器１０８の何れをオンオフし或いはレベル調整する必要があるか、すなわち制御対象と制御量とを判断し（ステップＳ３２）、制御信号を出力する（ステップＳ３３）。このプログラムが定期的にスタートして実行される。例えば、各部屋の在不在や在室人数は、人感センサ等の機器制御用センサ１０７ｂが一定の検出時間内にどの程度の頻度で人感したか等に基づいて把握することができるので、不在と検知したときに一定時間経過後に電源をオフにするといった設定条件や、在室人数に応じてエアコン１０８ａや照明１０８ｂのパワーを所定のパワーにレベル調整するといった設定条件に従って、制御の内容を自動的に決定する。
【００３４】
＜就寝モード＞
【００３５】
図７に示す就寝モードプログラムＰ３が起動すると、図５のステップＳ２４と同様にして設定条件を読み込み（ステップＳ４１）、ステップＳ２５と同様にして機器作動状況を確認して（ステップＳ４２）、予め設定した特定のエアコン１０８ａや照明１０８ｂ等の建物内設置機器１０８の電源スイッチをＯＦＦにし、或いはパワー調整するための制御信号を出力する（ステップＳ４３）。また就寝時、使用しない場所のセンサ出力により侵入を検知し、警報出力をなす（ステップＳ４４〜Ｓ４７）。
【００３６】
以上のようにして本実施形態は、在宅の有無や就寝などあらかじめ決められたモードをモード切替部１００ｘで切り替えるという簡単な操作を行うだけで、以下のようなセキュリティ及び機器制御に関する動作を自動的に行うことが可能になる。
【００３７】
先ず、外出の際にモード設定手段１００で外出モードにすることにより、セキュリティ制御部１０１が動作し、複数のセンサ１０７の信号を監視することにより泥棒等外部からの建物内侵入に対する警戒を行う。特に、監視用センサ１０７ａのみならず機器制御用センサ１０７ｂも監視に利用できるので、監視ポイントが増え、既往のホームセキュリティシステムに比してより高いセキュリティ機能が備わることとなる。これは外出後に起動するホームセキュリティシステムと在宅時に起動するホームコントロールシステムとの融合による相乗効果と言うことができる。そして、センサ１０７が侵入を検知した場合には、通信手段１０４で警備会社及び居住者に対して警報を行うこととなる。
【００３８】
また、外出後にあらかじめ設定し記憶部１０３に格納されていた特定の建物内設置機器１０８のスイッチを機器制御部１０２が自動的に切ることにより、スイッチの切り忘れを無くすことができる。この機能も、外出後に起動するホームセキュリティシステムと在宅時に起動するホームコントロールシステムとの融合による新たな効果ということができる。
【００３９】
一方、在宅時にモード切替部１００で在宅モードにすることにより、機器制御部１０２が起動し、センサ１０７からの信号や記憶部１０３に格納された在室パターン等に基づく設定条件に従って、建物内設置機器１０８の制御を行う。特に、監視用センサ１０７ａをも利用すれば、ドアや窓など、居住者の動線上の動きを把握することができるので、在室パターンの変化をとらえた制御が可能になり、例えば状況変化を予測して予め入室前にエアコン１０８ａや照明１０８ｂをオンにする等といった制御も実現できるようになる。この点も、ホームセキュリティシステムと在宅時に起動するホームコントロールシステムとの融合による新たな機能と言うことができる。
【００４０】
さらに、就寝時に、モード切替部１００で就寝モードにすることにより、予め記憶部１０３に格納している設定条件に基づいて機器制御部１０２が深夜使用しない機器の電源を切る制御を行う。この場合、就寝中に監視用センサ１０７ａが作動した場合には照明１０８ｂを明るくして防犯に役立てるなどの設定も可能であり、この点でも外出後に起動するホームセキュリティシステムと在宅時に起動するホームコントロールシステムとの融合による新たな効果を期待することができる。
【００４１】
そして、この実施形態のホームセキュリティシステムは、図８に示すホームセキュリティ本来のシステムに必要最小限の要素部品を追加するだけでホームコントロールシステムとしての機能を持ち併せることができるように構成でき、コントローラ１０６、センサ１０７ａ、各種配線その他のハードリソースの一部を共用あるいは高い効率で稼動させて、トータルのシステムコストパフォーマンスを有効に向上させることが可能となる。
【００４２】
なお、各部の具体的な構成は、上述した実施形態のみに限定されるものではなく、本発明の趣旨を逸脱しない範囲で種々変形が可能である。
【図面の簡単な説明】
【００４３】
【図１】本発明の一実施形態を示す機能構成図。
【図２】同実施形態を構成するコントローラのハードリソースを示す図。
【図３】同実施形態の通信手段の機能を示す図。
【図４】同実施形態におけるモード管理プログラムの概要を示すフローチャート。
【図５】同実施形態における外出モードプログラムの概要を示すフローチャート。
【図６】同実施形態における在宅モードプログラムの概要を示すフローチャート。
【図７】同実施形態における就寝モードプログラムの概要を示すフローチャート。
【図８】同実施形態における就寝モードプログラムの概要を示すフローチャート。
【符号の説明】
【００４４】
１００ｘ…モード切替部
１０６…コントローラ
１０７ａ…監視用センサ
１０７ｂ…機器制御用センサ
１０８…建物内設置機器
【図１】
2005258713.tif 000003
【図２】
2005258713.tif 000004
【図３】
2005258713.tif 000005
【図４】
2005258713.tif 000006
【図５】
2005258713.tif 000007
【図６】
2005258713.tif 000008
【図７】
2005258713.tif 000009
【図８】
2005258713.tif 000010